(57)【要約】【課題】現在受信可能な放送局を正しく識別しつつ、放送プログラムと多重化して放送されるデータを取得する「放送受信装置」を提供する。【解決手段】受信可能な放送局をサーチしステーションリストに登録するステーションリスト更新処理UDを実行したならば、ステーションリストに登録された各放送局のステーションロゴを当該放送局の放送信号より取得するステーションロゴ取得処理LOGOを開始する。そして、ステーションロゴ取得処理LOGOの実行中に、受信状況が所定レベル以上変化したならば（T1）、ステーションロゴ取得処理LOGOを強制的に終了し、ステーションリスト更新処理UDを実行してステーションリストを更新し、その後に、ステーションロゴ取得処理LOGOを開始する。【選択図】図５
2018007160.tif 000002
【特許請求の範囲】
【請求項１】
番組とデータとが多重化されて伝送される放送を受信する放送受信装置であって、
前記放送を受信するチューナと、
受信可能な前記放送の放送局を登録したステーションリストと、
受信可能な放送を前記チューナを用いて探索し、探索した放送の放送局を前記ステーションリストに登録するステーションリスト更新処理と、前記チューナを用いて前記放送からデータを取得するデータ取得処理とを選択的に行う制御手段と、
当該放送受信装置における前記放送の受信状態の良否の状況を検出する受信状況検出手段とを有し、
前記制御手段は、前記データ取得処理の実行中に、前記受信状況検出手段が検出している当該放送受信装置における前記放送の受信状態の良否の状況の変化が所定レベル以上大きくなったときに、前記データ取得処理の実行を終了し、前記ステーションリスト更新処理の実行を開始する切替処理を実行することを特徴とする放送受信装置。
【請求項２】
請求項１記載の放送受信装置であって、
前記制御手段は、前記データ取得処理の開始後、所定期間が経過したならば当該データ取得処理の実行を終了し、前記ステーションリスト更新処理の実行を開始することを特徴とする放送受信装置。
【請求項３】
請求項１または２記載の放送受信装置であって、
前記制御手段は、前記データ取得処理の開始後、所定数量の前記データを取得したならば当該データ取得処理の実行を終了し、前記ステーションリスト更新処理の実行を開始することを特徴とする放送受信装置。
【請求項４】
請求項１、２または３記載の放送受信装置であって、
前記制御手段は、前記ステーションリスト更新処理が終了したならば、前記データ取得処理の実行を開始することを特徴とする放送受信装置。
【請求項５】
請求項１、２、３または４記載の放送受信装置であって、
前記受信状況検出手段は、当該放送受信装置における放送の受信電界強度を、当該放送受信装置における前記放送の受信状態の良否の状況として検出することを特徴とする放送受信装置。
【請求項６】
請求項１、２、３または４記載の放送受信装置であって、
前記受信状況検出手段は、前記ステーションリストに登録されている放送局の放送の受信電界強度を、当該放送受信装置における前記放送の受信状態の良否の状況として検出し、
前記制御手段は、
前記ステーション更新処理において、放送が行われ得る各放送チャネルを順次、前記チューナに受信させながら、各放送チャネルについて受信電界強度を取得し、取得した受信電界強度が良好な放送チャネルの放送の放送局を前記受信可能な放送局として前記ステーションリストに登録すると共に、当該ステーションリストに登録した放送局の放送の放送チャネルについて取得した受信電界強度を当該放送チャネルの基準値として記憶し、
前記切替処理において、前記受信状況検出手段が検出している受信電界強度と、記憶されている当該受信状況検出手段が受信電界強度を検出している放送の放送チャネルの基準値との差を、前記受信状態の良否の状況の変化として算定することを特徴とする放送受信装置。
【請求項７】
請求項１、２、３または４記載の放送受信装置であって、
前記受信状況検出手段は、前記ステーションリストに登録されている放送局の放送の受信電界強度を、当該放送受信装置における前記放送の受信状態の良否の状況として検出し、
前記制御手段は、
前記ステーション更新処理において、放送が行われ得る各放送チャネルを順次、前記チューナに受信させながら、各放送チャネルについて受信電界強度を取得し、取得した受信電界強度が所定のしきい値より大きい放送チャネルの放送の放送局を前記受信可能な放送局として前記ステーションリストに登録すると共に、当該ステーションリストに登録した放送局の放送の放送チャネルについて取得した受信電界強度を当該放送チャネルの基準値として記憶し、当該ステーションリストに登録しなかった放送局の放送の放送チャネルについて取得した受信電界強度のうちの最大の受信電界強度を最大不良値として記憶し、
前記切替処理において、前記受信状況検出手段が検出している受信電界強度と、記憶されている当該受信状況検出手段が受信電界強度を検出している放送の放送チャネルの基準値との差を、前記受信状態の良否の状況の変化として算定し、算定した前記受信状態の良否の状況の変化を記憶されている最小の基準値に加えた値が前記しきい値以下となる場合と、算定した前記受信状態の良否の状況の変化を記憶されている最大不良値に加えた値が前記しきい値より大きくなる場合に、前記受信状態の良否の状況の変化が、前記所定レベル以上大きくなったと判定することを特徴とする放送受信装置。
【請求項８】
請求項６または７記載の放送受信装置であって、
前記受信状況検出手段は、前記ステーションリストに登録されている放送の受信電界強度として、前記チューナにおける放送の受信電界強度を用いて、当該放送受信装置における前記放送の受信状態の良否の状況を検出することを特徴とする放送受信装置。
【請求項９】
請求項１、２、３、４、５、６、７または８記載の放送受信装置であって、
前記データ取得処理で取得するデータは放送局のロゴを表すデータであって、
当該データ取得処理において、前記ステーションリストに登録されている放送局のロゴを表すデータを取得することを特徴とする放送受信装置。
【請求項１０】
請求項９記載の放送受信装置であって、
前記データ取得処理によって取得したデータが表す、前記ステーションリストに登録されている放送局のロゴの一覧を表示し、前記ステーションリストに登録されている放送局のうちから放送局の選択をユーザから受け付け、選択された放送局の放送に当該放送受信装置で受信してユーザに出力する放送を切り替える受信出力放送切替手段を有することを特徴とする放送受信装置。
【請求項１１】
請求項９記載の放送受信装置であって、
当該放送受信装置で受信してユーザに出力する放送の放送局の、前記データ取得処理によって取得したデータが表すロゴを表示する受信出力中放送局ロゴ表示手段を有することを特徴とする放送受信装置。
【発明の詳細な説明】
【技術分野】
【０００１】
本発明は、放送受信装置において、放送プログラムと多重化して放送されるデータを取得する技術に関するものである。
【背景技術】
【０００２】
放送受信装置において、放送プログラムと多重化して放送されるデータを取得する技術としては、ＩＢＯＣ（In Band on Channel）方式のラジオ放送であるＨＤラジオを受信するＨＤラジオ受信機において、音声プログラムと多重化して放送される、放送局ＩＤや、放送局のロゴや、放送中の楽曲のタイトルやアーティストやカバーアートを取得する技術が知られている（たとえば、特許文献１）。
【０００３】
また、チューナを二組備えたラジオ放送受信装置において、一方のチューナを放送の受信に用いつつ、バックグランドで他方のチューナを用いて受信可能な放送局を探索して、探索した放送局を登録したリストの作成を行う技術も知られている（たとえば、特許文献２）。ここで、このように作成されたリストはユーザ操作等に応じて表示され、ユーザは表示されたリスト中の放送局のうちから受信する放送局を選択することができる。
【先行技術文献】
【特許文献】
【０００４】
【特許文献１】特開２０１３-１８７８０８号公報
【特許文献２】特開２０１３-１７５９６７号公報
【発明の概要】
【発明が解決しようとする課題】
【０００５】
放送局のロゴを含むデータが放送プログラムと多重化されている放送を受信する放送受信装置を二つのチューナを含めて構成し、一方のチューナを放送の受信に用いつつ、バックグランドで他方のチューナを用いて受信可能な放送局を探索して、探索した放送局を登録したリストを作成すると共に、作成したリストを表示してユーザから受信する放送局の選択を受け付ける場合、リストの表示は、当該リストに登録されている放送局のロゴの表示を含めた形態で行うことが、ユーザの直感的な放送局の把握を可能とする上で好ましい。また、ユーザが受信する放送局を切り替えた場合には、即座にその放送局のロゴを表示できることが好ましい。
【０００６】
しかしながら、この場合には、リストに登録されている放送局のロゴの取得は、受信可能な放送局の探索にバックグランドで用いているチューナを用いて行うこととなるため、放送局のロゴの取得中は、受信可能な放送局のリストの更新を行うことができなくなる。
【０００７】
また、放送局からの放送局のロゴのデータの転送レートは小さく、また、放送局のロゴが放送される時間間隔も長いため（たとえば、ＨＤラジオでは最大で１５分間隔）、放送局のロゴの取得には長時間を要する。
【０００８】
そして、このために、受信可能な放送局のリストの更新の時間間隔も長くなり、受信可能な放送局が変化した後、次回のリストの更新完了までの間、長時間にわたってリストが現在受信可能な放送局を正しく表さなくなってしまうという問題が生じる。
【０００９】
そこで、本発明は、受信可能な放送局のリストの更新を当該リストが現在受信可能な放送局を正しく表すように行いつつ、当該リストの更新に用いるチューナを用いて、放送プログラムと多重化して放送されるデータを取得することを課題とする
【課題を解決するための手段】
【００１０】
前記課題達成のために、本発明は、番組とデータとが多重化されて伝送される放送を受信する放送受信装置に、前記放送を受信するチューナと、受信可能な前記放送の放送局を登録したステーションリストと、受信可能な放送を前記チューナを用いて探索し、探索した放送の放送局を前記ステーションリストに登録するステーションリスト更新処理と、前記チューナを用いて前記放送からデータを取得するデータ取得処理とを選択的に行う制御手段と、当該放送受信装置における前記放送の受信状態の良否の状況を検出する受信状況検出手段とを備えたものである。ここで、前記制御手段は、前記データ取得処理の実行中に、前記受信状況検出手段が検出している当該放送受信装置における前記放送の受信状態の良否の状況の変化が所定レベル以上大きくなったときに、前記データ取得処理の実行を終了し、前記ステーションリスト更新処理の実行を開始する切替処理を実行する。
【００１１】
さて、このような放送受信装置は、前記制御手段において、前記データ取得処理の開始後、所定期間が経過したならば当該データ取得処理の実行を終了し、前記ステーションリスト更新処理の実行を開始するように構成してもよい。
【００１２】
また、以上の放送受信装置は、前記制御手段において、前記データ取得処理の開始後、所定数量の前記データを取得したならば当該データ取得処理の実行を終了し、前記ステーションリスト更新処理の実行を開始するように構成してもよい。
【００１３】
また、以上の放送受信装置は、前記制御手段において、前記ステーションリスト更新処理が終了したならば、前記データ取得処理の実行を開始するように構成してもよい。
ここで、以上のような放送受信装置は、前記受信状況検出手段において、当該放送受信装置における放送の受信電界強度を、当該放送受信装置における前記放送の受信状態の良否の状況として検出するように構成してもよい。
【００１４】
または、以上の放送受信装置は、前記受信状況検出手段を、前記ステーションリストに登録されている放送局の放送の受信電界強度を、当該放送受信装置における前記放送の受信状態の良否の状況として検出するものとし、前記制御手段を、前記ステーション更新処理において、放送が行われ得る各放送チャネルを順次、前記チューナに受信させながら、各放送チャネルについて受信電界強度を取得し、取得した受信電界強度が良好な放送チャネルの放送の放送局を前記受信可能な放送局として前記ステーションリストに登録すると共に、当該ステーションリストに登録した放送局の放送の放送チャネルについて取得した受信電界強度を当該放送チャネルの基準値として記憶し、前記切替処理において、前記受信状況検出手段が検出している受信電界強度と、記憶されている当該受信状況検出手段が受信電界強度を検出している放送の放送チャネルの基準値との差を、前記受信状態の良否の状況の変化として算定するものとしてもよい。
【００１５】
または、以上の放送受信装置は、前記受信状況検出手段を、前記ステーションリストに登録されている放送局の放送の受信電界強度を、当該放送受信装置における前記放送の受信状態の良否の状況として検出するものとし、前記制御手段を、前記ステーション更新処理において、放送が行われ得る各放送チャネルを順次、前記チューナに受信させながら、各放送チャネルについて受信電界強度を取得し、取得した受信電界強度が所定のしきい値より大きい放送チャネルの放送の放送局を前記受信可能な放送局として前記ステーションリストに登録すると共に、当該ステーションリストに登録した放送局の放送の放送チャネルについて取得した受信電界強度を当該放送チャネルの基準値として記憶し、当該ステーションリストに登録しなかった放送局の放送の放送チャネルについて取得した受信電界強度のうちの最大の受信電界強度を最大不良値として記憶し、前記切替処理において、前記受信状況検出手段が検出している受信電界強度と、記憶されている当該受信状況検出手段が受信電界強度を検出している放送の放送チャネルの基準値との差を、前記受信状態の良否の状況の変化として算定し、算定した前記受信状態の良否の状況の変化を記憶されている最小の基準値に加えた値が前記しきい値以下となる場合と、算定した前記受信状態の良否の状況の変化を記憶されている最大不良値に加えた値が前記しきい値より大きくなる場合に、前記受信状態の良否の状況の変化が、前記所定レベル以上大きくなったと判定するものとしてもよい。
【００１６】
なお、以上のように、前記受信状況検出手段において前記ステーションリストに登録されている放送の受信電界強度を検出する場合、前記受信状況検出手段において、前記ステーションリストに登録されている放送の受信電界強度として、前記チューナにおける放送の受信電界強度を用いるようにしてよい。
【００１７】
また、以上の放送受信装置は、前記データ取得処理で取得するデータを放送局のロゴを表すデータとし、当該データ取得処理において、前記ステーションリストに登録されている放送局のロゴを表すデータを取得するように構成してもよい。
【００１８】
ここで、このように放送受信装置を構成する場合には、当該放送受信装置に、であって、前記データ取得処理によって取得したデータが表す、前記ステーションリストに登録されている放送局のロゴの一覧を表示し、前記ステーションリストに登録されている放送局のうちから放送局の選択をユーザから受け付け、選択された放送局の放送に当該放送受信装置で受信してユーザに出力する放送を切り替える受信出力放送切替手段を設けるようにしてもよい。
【００１９】
また、この場合には、放送受信装置に、当該放送受信装置で受信してユーザに出力する放送の放送局の、前記データ取得処理によって取得したデータが表すロゴを表示する受信出力中放送局ロゴ表示手段を備えることも好ましい。
【００２０】
以上のような放送受信装置によれば、データ取得処理の実行中であっても、放送受信装置の放送の受信状態の良否の状況が所定レベル以上変化したときには、データ取得処理の実行を直ちに終了し、ステーションリスト更新処理の実行を開始する。ここで、放送受信装置の放送の受信状態の良否の状況が大きく変化したときには、放送受信装置が山陰やトンネルを入出しているなど、放送受信装置の受信環境が大きく変化していて、放送受信装置で受信可能な放送局が変化している可能性が大きい。一方、放送受信装置の放送の受信状態の良否の状況が大きく変化していないときには、放送受信装置で放送を受信可能な放送局も変化していないと考えられる。
【００２１】
したがって、本発明に係る放送受信装置によれば、データの取得とステーションリストの更新に一つのチューナを共用する放送受信装置において、取得に長時間を要するデータの取得を行っているときでも、受信可能な放送局が変化したタイミングで、ステーションリストの更新を行って、ステーションリストを現在受信可能な放送局を正しく表すように維持することができる。
【発明の効果】
【００２２】
以上のように、本発明によれば、受信可能な放送局のリストの更新を当該リストが現在受信可能な放送局を正しく表すように行いつつ、当該リストの更新に用いるチューナを用いて、放送プログラムと多重化して放送されるデータを取得することができる。
【図面の簡単な説明】
【００２３】
【図１】本発明の実施形態に係る放送受信装置の構成を示すブロック図である。
【図２】本発明の実施形態においてメモリに保持するデータを示す図である。
【図３】本発明の実施形態に係る放送受信装置の表示例を示す図である。
【図４】本発明の実施形態に係るバックグランド動作制御処理を示すフローチャートである。
【図５】本発明の実施形態に係るバックグランド動作制御処理の処理例を示す図である。
【発明を実施するための形態】
【００２４】
以下、本発明の実施形態について、自動車に搭載され、ＨＤラジオ放送を受信する放送受信装置への適用を例にとり説明する。
図１に、本実施形態に係る放送受信装置の構成を示す。
図示するように、本実施形態に係る放送受信装置は、アンテナ１、チューナ２、ＢＧチューナ３、アンプ４、スピーカ５、制御部６、表示装置７、入力装置８、メモリ９を備えている。
【００２５】
また、チューナ２は、フロントエンド２１、アナログ放送デコーダ２２、デジタル放送デコーダ２３、合成処理部２４を備えている。
フロントエンド２１は、制御部６から受信チャネルとして設定された周波数チャネルの放送信号を受信し、受信した放送信号をアナログ放送デコーダ２２とデジタル放送デコーダ２３に出力する。
【００２６】
なお、ＨＤラジオ放送は、フロントエンド２１にとっての一つの周波数チャネル内で、デジタル放送とアナログ放送の双方の放送を行うものである。また、アナログ放送では、アナログオーディオ信号が放送され、デジタル放送では、デジタルオーディオデータと、テキストや画像を表すデータサービスデータとが多重化して放送される。そして、データサービスデータには、放送局ＩＤや、放送局のロゴ（ステーションロゴ）や、放送中の楽曲のタイトルやアルバムやアーティストやカバーアートや、交通情報や、株価情報や、報道情報や、燃料価格情報などのデータが含まれる。
【００２７】
さて、アナログ放送デコーダ２２はフロントエンド２１から出力された放送信号からアナログオーディオ信号を復調し合成処理部２４に送る。
また、デジタル放送デコーダ２３はフロントエンド２１から出力された放送信号からデジタルオーディオデータとデータサービスデータとを復元し、デジタルオーディオデータを合成処理部２４に送り、データサービスデータを制御部６に送る。
【００２８】
そして、合成処理部２４は、アナログ放送デコーダ２２が出力したアナログオーディオ信号が表す音声と、デジタル放送デコーダ２３が出力したデジタルオーディオデータが表す音声とのうちの一方、もしくは、これら二つの音声を合成した音声をアンプ４に出力する。
【００２９】
そして、アンプ４は、チューナ２から出力された音声を制御部６から設定されたゲインで増幅しスピーカ５から出力する。
次に、ＢＧチューナ３は、ＢＧフロントエンド３１、ＢＧアナログ放送デコーダ３２、ＢＧデジタル放送デコーダ３３を備えている。
ＢＧフロントエンド３１は、制御部６から受信チャネルとして設定された周波数チャネルの放送信号を受信し、受信した放送信号をＢＧアナログ放送デコーダ３２とＢＧデジタル放送デコーダ３３に出力する。また、ＢＧフロントエンド３１は、受信チャネルから受信した放送信号の大きさから受信チャネルの受信電界強度を測定し、制御部６に通知する。
【００３０】
さて、ＢＧアナログ放送デコーダ３２はフロントエンド２１から出力された放送信号からアナログオーディオ信号を復調する。
また、ＢＧデジタル放送デコーダ３３はフロントエンド２１から出力された放送信号からデジタルオーディオデータとデータサービスデータとを復元し、データサービスデータを制御部６に送る。
【００３１】
次に、本実施形態においてメモリ９には、ステーションリストと、ステーションロゴリストと、基準値リストと、最大不良値データとが格納される。
図２ａに示すように、ステーションリストには、現在放送を受信可能な放送局毎に対応して設けたエントリを有し、各エントリには対応する放送局の放送局名と周波数チャネルとが登録される。
【００３２】
また、図２ｂに示すように、ステーションロゴリストは、ＨＤラジオのデータサービスデータとして取得したステーションロゴ毎に対応して設けたエントリを有し、各エントリには、対応するステーションロゴが表す放送の放送局名と、対応するステーションロゴとが登録される。なお、ステーションロゴは、放送局または放送サービスを表す画像である。
【００３３】
また、図２ｃに示すように基準値リストは、ステーションリストに登録されている周波数チャネル毎に対応して設けたエントリを有し、各エントリには、対応する周波数チャネルと、対応する周波数チャネルがステーションリストに登録されたときに検出された対応する周波数チャネルの放送の受信電界強度が登録される。
【００３４】
そして、最大不良値データには、ステーションリストに登録されなかった周波数チャネルのうちの、受信電界強度が最大であった周波数チャネルの放送の受信電界強度が登録される。
【００３５】
さて、このような放送受信装置において、制御部６は、入力装置８でユーザから受け付けた選局操作で指定された周波数チャネルを受信チャネルとして、チューナ２のフロントエンド２１に設定する処理や、入力装置８を介して受け付けたチャネル切替操作に応じて、メモリ９のステーションリストに登録されている各放送局の周波数チャネルを順次、受信チャネルとしてチューナ２のフロントエンド２１に設定する処理を行うことにより、ユーザ所望の周波数チャネルのチューナ２での受信と、当該周波数チャネルで受信した音声のスピーカ５への出力を行う。
【００３６】
また、制御部６は、ユーザ操作に応じて、メモリ９のステーションリストに登録されている放送局の一覧を、ステーションロゴリストに登録されている各放送局のステーションロゴを各放送局に対応づけて提示する形態で表示装置７に表示し、一覧中からの放送局の選択を入力装置８を介して受け付け、受け付けた放送局の周波数チャネルを受信チャネルとしてチューナ２のフロントエンド２１に設定することにより、ユーザが選択した放送局の周波数チャネルのチューナ２での受信と、当該周波数チャネルで受信した音声のスピーカ５への出力を行う。
【００３７】
ここで、図３ａは、このようなステーションリストに登録されている放送局の一覧の表示例を示したものであり、この例では、ステーションリストに登録されている各放送局について、放送局のステーションロゴ３０１を放送局名３０２の上に配置して表示している。
【００３８】
さて、次に、制御部６は、チューナ２が放送を受信している期間中、チューナ２のデジタル放送デコーダ２３が出力するデータサービスデータから、受信中の楽曲のタイトルやアルバムやアーティストやカバーアートを取得し、たとえば、図３ｂ１に示すように、取得したカバーアート３５１と共に、受信中の楽曲のタイトルやアルバムやアーティスト等の楽曲情報３５２を表示装置７に表示する動作を行う。
【００３９】
但し、制御部６は、受信中の楽曲のカバーアートの取得が完了するまでは、図３ｂ２に示すように、カバーアート３５１に代えて、チューナ２で受信中の放送の放送局のステーションロゴ３６１を表示する。
【００４０】
さて、制御部６は、ステーションリストの更新と、ステーションロゴの取得のためにバックグランド動作制御処理を行う。なお、バックグランド動作制御処理は、放送受信装置が起動されると、その実行が開始される。
【００４１】
図４に、このバックグランド動作制御処理の手順を示す。
図示するように、バックグランド動作制御処理において、制御部６は、まず、ステーションリスト更新処理を開始する（ステップ４０２）。
ここで、ステーションリスト更新処理において、制御部６は、まず、最大不良値データを0dBにリセットする。
次に、ステーションリスト更新処理において、制御部６は、ＨＤラジオの放送周波数範囲内の各周波数チャネルを順次、受信チャネルとしてＢＧチューナ３のＢＧフロントエンド３１に設定しながら、受信チャネルとして設定した周波数チャネルの受信電界強度をＢＧフロントエンド３１から取得し、各周波数チャネルについて次の処理を行う。
【００４２】
すなわち、取得した受信電界強度が所定のしきい値Thより大きければ、受信チャネルとして設定した周波数チャネルが登録されているエントリがステーションリストに登録されていない場合には、新たなエントリをステーションリストに作成し、作成したエントリに、ＢＧフロントエンド３１に受信チャネルとして設定した周波数チャネルで放送を行っている放送局の放送局名と、受信チャネルとして設定した周波数チャネルとを登録する。
【００４３】
また、受信チャネルとして設定した周波数チャネルが登録されているエントリが基準値リストに存在しない場合には、基準値リストに新たなエントリを作成し、作成したエントリに、ＢＧフロントエンド３１に受信チャネルとして設定した周波数チャネルと取得した受信電界強度を登録し、受信チャネルとして設定した周波数チャネルが登録されているエントリが基準値リストに存在する場合には、当該エントリの受信電界強度の値を取得した受信電界強度で更新する。
【００４４】
一方、取得した受信電界強度が所定のしきい値Thより大きくなければ、受信チャネルとして設定した周波数チャネルが登録されているエントリを、ステーションリストと基準値リストから削除すると共に、取得した受信電界強度が、最大不良値データに登録されている受信電界強度より大きいかどうかを調べ、大きければ最大不良値データの値を取得した受信電界強度で更新する。
【００４５】
次に、制御部６は、ステップ４０２で開始したステーションリスト更新処理が終了したならば、すなわち、ＨＤラジオの放送周波数範囲内の全ての周波数チャネルについての受信電界強度の取得と、受信電界強度に応じたステーションリストへの登録や削除が完了したならば（ステップ４０４）、ステーションリストに登録されている放送局のうちに、ステーションロゴリストにステーションロゴが登録されていない放送局が存在するかどうかを調べ（ステップ４０６）、存在しない場合にはステップ４０２からの処理に戻る。
【００４６】
一方、ステーションリストに登録されている放送局のうちに、ステーションロゴリストにステーションロゴが登録されていない放送局が存在する場合には（ステップ４０６）、存在した放送局を対象放送局とするステーションロゴ取得処理を開始する（ステップ４０８）。
【００４７】
ここで、ステーションロゴ取得処理では、全ての対象放送局を順次、着目放送局としながら、ステーションリストに登録されている着目放送局の周波数チャネルを受信チャネルとしてＢＧチューナ３のＢＧフロントエンド３１に設定し、受信チャネルから受信したデータサービスデータに含まれるステーションロゴをＢＧデジタル放送デコーダ３３から取得し、着目放送局のエントリをステーションロゴリストに作成し、作成したエントリに着目放送局の放送局名と取得したステーションロゴを登録する処理を、全ての対象放送局のステーションロゴがステーションロゴリストに登録されるまで繰り返す。また、ステーションロゴ取得処理は、全ての対象放送局のステーションロゴがステーションロゴリストに登録されたならば終了する。
【００４８】
さて、制御部６は、ステップ４０８でステーションロゴ取得処理を開始したならば、受信状況の所定レベル以上の変化と（ステップ４１０）、ステーションロゴ取得処理の終了（ステップ４１２）とを監視する。
【００４９】
ここで、受信状況の所定レベル以上の変化の検出は、たとえば、ＢＧチューナ３のＢＧフロントエンド３１が検出している受信電界強度と、基準値リストのＢＧフロントエンド３１に受信チャネルとして設定している周波数チャネルのエントリに登録されている受信電界強度との差が、所定値より大きくなったときに受信状況の所定レベル以上の変化を検出することにより行う。
【００５０】
または、受信状況の所定レベル以上の変化の検出は、たとえば、ＢＧチューナ３のＢＧフロントエンド３１が検出している受信電界強度と、基準値リストのＢＧフロントエンド３１に受信チャネルとして設定している周波数チャネルのエントリに登録されている受信電界強度との差と同じ変化を、最大不良値データに登録されている受信電界強度に加えた値が、上述したステーションリスト更新処理で用いたしきい値Thより大きな値となるか、当該差と同じ変化を基準値リストに登録されている最小の受信電界強度に加えた値がしきい値Th以下の値となる場合に、受信状況の所定レベル以上の変化を検出することにより行う。
【００５１】
または、受信状況の所定レベル以上の変化の検出は、より単純に、ＢＧチューナ３のＢＧフロントエンド３１が検出している受信電界強度や、チューナ２のフロントエンド２１が検出している受信電界強度が所定値以上の変化したときに、受信状況の所定レベル以上の変化を検出することにより行うようにするのなど、他の基準に従って、受信状況の所定レベル以上の変化を検出することにより行うようにしてもよい。
【００５２】
そして、受信状況の所定レベル以上の変化が発生した場合には（ステップ４１０）、ステーションロゴ取得処理を強制終了し（ステップ４１４）、ステップ４０２からの処理に戻る。
【００５３】
一方、ステーションロゴ取得処理の終了が発生した場合には（ステップ４１２）、そのままステップ４０２からの処理に戻る。
以上、制御部６が行うバックグランド動作制御処理について説明した。
ここで、図５に、以上のようなバックグランド動作制御処理の処理例を示す。
ここで、図５中において、"UD"がステーションリスト更新処理を、"LOGO"がステーションロゴ取得処理を表すものとする。
さて、図示するように、放送受信装置が起動すると、バックグランド動作制御処理によって１回目のステーションリスト更新処理がＢＧチューナ３を用いて実行され、その時点で受信可能な放送局を登録したステーションリストが作成される。そして、１回目のステーションリスト更新処理が終了したならば、ＢＧチューナ３を用いてステーションリストに登録された放送局のステーションロゴを取得するステーションロゴ取得処理が開始される。
【００５４】
そして、ステーションロゴ取得処理の実行中に、時刻T1で、ＢＧチューナ３の受信状況が所定レベル以上変化すると、ステーションロゴ取得処理は強制的に終了され、２回目のステーションリスト更新処理がＢＧチューナ３を用いて実行され、ステーションリストが更新され、この時点で受信可能な放送局がステーションリストに登録される。
【００５５】
そして、２回目のステーションリスト更新処理が終了したならば、ＢＧチューナ３を用いて更新後のステーションリストに登録された放送局のステーションロゴを取得するために、ステーションロゴ取得処理が開始される。そして、ステーションロゴ取得処理の実行中に、時刻T2で、ＢＧチューナ３の受信状況が所定レベル以上変化すると、ステーションロゴ取得処理は強制的に終了され、３回目のステーションリスト更新処理がＢＧチューナ３を用いて実行され、ステーションリストが更新され、この時点で受信可能な放送局がステーションリストに登録される。そして、３回目のステーションリスト更新処理が終了したならば、ＢＧチューナ３を用いて更新後のステーションリストに登録された放送局のステーションロゴを取得するために、ステーションロゴ取得処理が開始される。
【００５６】
このようにバックグランド動作制御処理によれば、ステーションロゴ取得処理の実行中であっても、ＢＧチューナ３の受信状況が大きく変化したときには、直ちに、ステーションロゴ取得処理は終了され、ステーションリスト更新処理が実行される。
【００５７】
ここで、ＢＧチューナ３の受信状況が大きく変化したときには、放送受信装置が山陰やトンネルを入出しているなど、放送受信装置の受信環境が大きく変化しており、他の周波数チャネルの受信状況も大きく変化している可能性、すなわち、放送受信装置で受信可能な放送局が変化している可能性が大きい。一方、ＢＧチューナ３の受信状況が大きく変化していないときには、放送受信装置で受信可能な放送局は変化していないと考えられる。
【００５８】
したがって、以上のようなバックグランド動作制御処理を行う本実施形態によれば、受信可能な放送局を登録するステーションリストの更新を当該ステーションストが現在受信可能な放送局を正しく表すように行いつつ、当該ステーションリストの更新に用いるＢＧチューナ３を用いて、放送プログラムと多重化して放送されるステーションロゴをすみやかに取得できるようになる。
【００５９】
以上、本発明の実施形態について説明した。
ところで、以上の実施形態で行うバックグランド動作制御処理のステップ４０８で開始するステーションロゴ取得処理は、対象放送局のうちの一つまたは所定数の対象放送局を着目放送局として、各着目放送局について、ステーションリストに登録されている着目放送局の周波数チャネルを受信チャネルとしてＢＧチューナ３のＢＧフロントエンド３１に設定し、デジタル放送デコーダ２３が受信チャネルから受信したデータサービスデータに含まれるステーションロゴを取得し、着目放送局のエントリをステーションロゴリストに作成し、作成したエントリに着目放送局の放送局名と取得したステーションロゴをステーションロゴリストに登録する処理としてもよい。なお、この場合、ステーションロゴ取得処理は、着目放送局とした各対象放送局のステーションロゴをステーションロゴリストに登録したならば終了する。
【００６０】
または、以上の実施形態のバックグランド動作制御処理では、受信状況が所定レベル以上変化したときに（ステップ４１０）、ステップ４０８で開始したステーションロゴ取得処理を強制終了して（ステップ４１４）、ステップ４０２に戻るようにしたが、これは、受信状況が所定レベル以上変化したとき（ステップ４１０）に加え、ステーションロゴ取得処理の開始から所定期間経過したときにも、ステップ４０８で開始したステーションロゴ取得処理を強制終了して（ステップ４１４）、ステップ４０２に戻るようにしてもよい。
【００６１】
また、以上の実施形態におけるバックグランド動作制御処理のステップ４１０における受信状況の所定レベル以上の変化の検出は、ＢＧチューナ３のＢＧフロントエンド３１が検出している受信電界強度に代えて、チューナ２のフロントエンド２１が検出している受信電界強度や、別途設けられているチューナ２が検出している受信電界強度を用いて検出することにより行うようにしてもよい。
【００６２】
また、以上の実施形態では、ＢＧチューナ３を用いてステーションリストの更新とステーションロゴの取得を行う場合について示したが、本実施形態で示したステーションリストの更新とステーションロゴの取得を行う技術は、ＢＧチューナ３を備えていない放送受信装置にも適用することができる。
【００６３】
すなわち、この場合には、チューナ２がユーザによって使用されていないとき、すなわち、チューナ２で放送から受信した音声をアンプ４を介してスピーカ５から出力していないときに、制御部６が、上述したバックグランド動作制御処理やステーションリスト更新処理やステーションロゴ取得処理を、ＢＧチューナ３に代えてチューナ２を用いて行うようにすればよい。
【００６４】
また、以上の実施形態は、放送受信装置において、ステーションリストの更新と共にステーションロゴの取得を行う場合について示したが、本実施形態は、ステーションロゴに代えて、データサービスデータに含まれる交通情報や株価情報や報道情報や燃料価格情報などの他の情報のいずれか１つまたは複数の情報を取得する場合にも同様に適用することができる。
【００６５】
また、以上の実施形態では、放送受信装置においてＨＤラジオを受信する場合について示したが、本実施形態は、放送プログラムと、ステーションロゴその他の付加情報を多重化して送信する放送であれば、ＨＤラジオ以外のラジオ放送やＴＶ放送などを受信する放送受信装置に同様に適用可能である。
【符号の説明】
【００６６】
１…アンテナ、２…チューナ、３…ＢＧチューナ、４…アンプ、５…スピーカ、６…制御部、７…表示装置、８…入力装置、９…メモリ、２１…フロントエンド、２２…アナログ放送デコーダ、２３…デジタル放送デコーダ、２４…合成処理部、３１…ＢＧフロントエンド、３２…ＢＧアナログ放送デコーダ、３３…ＢＧデジタル放送デコーダ。
【図１】
2018007160.tif 000003
【図２】
2018007160.tif 000004
【図３】
2018007160.tif 000005
【図４】
2018007160.tif 000006
【図５】
2018007160.tif 000007